(57)【要約】【課題】外観は一般的に使用されているベランダ等の柵でありながら、侵入者による柵上部手摺部分および柵棒、柵面部分への下降応力付加により警報ブザー音を発する防犯警報付き柵を提供する。さらに風雨にたえる構造および性能維持が出来る取り付けの容易な防犯警報付き柵を提供する。【解決手段】間隔をあけて立設した２本の支柱（１）に両端を固定された上部固定梁（２）の上面から嵌装したＵ型手摺カバー（３）を嵌装し、該手摺直結柵棒（５）の下降移動に伴い該Ｕ型手摺カバー（３）内部の天井部に設けた警報器（９）付設のスイッチ（９ａ）位置と該上部固定梁（２）との間隔が狭まることによりスイッチ（９ａ）が作動する構造。【選択図】  図１
2007179481.tif 000002
【特許請求の範囲】
【請求項１】
間隔をあけて立設した２本の支柱（１）に両端を固定された上部固定梁（２）の上面から嵌装したＵ型手摺カバー（３）が、
該上部固定梁（２）に設けた複数のガイド穴（４）内を摺動可能に貫装させた複数の手摺連動柵棒（５）の最上端に固設されるとともに、
該Ｕ型手摺カバー（３）が複数の弾力部材（６）により支えられ、
該Ｕ型手摺カバー（３）の下降移動、あるいは該手摺連動柵棒（５）とそれに連結固定された複数の摺動柵棒（５ａ）の下降移動に連動する該Ｕ型手摺板カバー（３）の下降移動により、
該Ｕ型手摺カバー（３）内部の天井部に設けた警報器（９）付設のスイッチ（９ａ）位置と該上部固定梁（２）との間隔が狭まることによりスイッチ（９ａ）が作動する構造を特徴とする防犯警報付き柵。
【請求項２】
複数の前記手摺直結柵棒（５）の下端が、下部連結用梁（８）の上面に立設して連結されていることを特徴とする請求項１に記載の防犯警報付き柵。
【請求項３】
複数の前記手摺直結柵棒（５）の下端を連結する下部連結用梁（８）の上面に立設した複数の柵棒（５ａ）の上端部が、上部固定梁（２）に設けたガイド穴（４）内を上下摺動可能に貫装させたことを特徴とする請求項１または２に記載の防犯警報付き柵。
【請求項４】
前記下部連結用梁（８）の両端が、支柱（１）に設けられたガイド溝（７）に嵌装されていることを特徴とする請求項１〜３のいずれかに記載の防犯警報付き柵。
【請求項５】
前記Ｕ型手摺カバー（３）を支える複数の弾力部材（６）が、螺旋状のスプリングであることを特徴とする請求項１〜４のいずれかに記載の防犯警報付き柵。
【発明の詳細な説明】
【技術分野】
【０００１】
本発明は、建造物のベランダ、窓、外周などからの不正侵入者防止用に取り付ける防犯警報付き柵に関する。
【背景技術】
【０００２】
建造物のベランダ、窓、外周などに設けられる柵は、居住者の落下防止の役割と外部からの不正侵入者防止の役割を有している。落下防止、不正侵入防止の目的を完全に果すためには建物開口部全面に柵を設ければ足りるが、居住快適性、緊急時の避難といった観点からは望ましいものではないので、一般に柵の高さはおおむね人体の腰、胸の程度に設定されている。このことから柵の上方開放部からの不正侵入者に対して無防備状態であった。
近年、特に独居老人、若年婦女子など住居においてベランダからの侵入犯罪が増加しており、その防止設備に対する要望が高くなっている。そこで、ベランダにおける柵からの不正侵入者を検出する目的で特開２００２−１５３８０号公報（特許文献１）では、ベランダ構造体のフェンス構成部材に防犯センサを設け、フェンスに接近して横切る人を検出する防犯センサ埋設ベランダ構造体の提案が試みられている。
【特許文献１】特開２００２−１５３８０号公報
【発明の開示】
【発明が解決しようとする課題】
【０００３】
本発明は、外観は一般的に使用されているベランダ等の柵でありながら、侵入者が柵の上部手摺部分および柵棒、柵面部分への下向き応力付加により警報ブザー音を発する防犯警報付き柵である。ベランダ等に使用される柵は、外部景観、居住者の快適性を損なうものであってはならず、さらに警報器の組み込みが侵入者からは容易に気付かれない必要がある。また、これらの柵は、ベランダ、窓などに付設され外気に直接さらされるものであるから、風雨にたえる構造および長期間においても性能維持が出来る必要がある。本発明は、上記の諸条件を解決した製作および取り付けの容易な防犯警報付き柵の提供を課題とする。
【課題を解決するための手段】
【０００４】
請求項１に係る防犯警報付き柵は、間隔をあけて立設した２本の支柱（１）に両端を固定された上部固定梁（２）の上面から嵌装したＵ型手摺カバー（３）が、該上部固定梁（２）に設けた複数のガイド穴（４）内を摺動可能に貫装させた複数の手摺連動柵棒（５）の最上端に固設されるとともに、該Ｕ型手摺カバー（３）が複数の弾力部材（６）により支えられ、該Ｕ型手摺カバー（３）の下降移動、あるいは該手摺連動柵棒（５）とそれに連結固定された複数の摺動柵棒（５ａ）の下降移動に連動する該Ｕ型手摺板カバー（３）の下降移動により、該Ｕ型手摺カバー（３）内部の天井部に設けた警報器（９）付設のスイッチ（９ａ）位置と該上部固定梁（２）との間隔が狭まることによりスイッチ（９ａ）が作動する構造を特徴としている。
【０００５】
請求項２に係る防犯警報付き柵は、請求項１において、複数の前記手摺直結柵棒（５）の下端が、下部連結用梁（８）の上面に立設して連結されていることを特徴としている。
請求項３に係る防犯警報付き柵は、請求項１または２に記載において、複数の前記手摺直結柵棒（５）の下端を連結する下部連結用梁（８）の上面に立設した複数の柵棒（５ａ）の上端部が、上部固定梁（２）に設けたガイド穴（４）内を上下摺動可能に貫装させたことを特徴としている。
【０００６】
請求項４に係る防犯警報付き柵は、請求項１〜３のいずれかにおいて、前記下部連結用梁（８）の両端が、支柱（１）に設けられたガイド溝（７）に嵌装されていることを特徴としている。
請求項５に係る防犯警報付き柵は、請求項１〜４のいずれかにおいて、前記Ｕ型手摺カバー（３）を支える複数の弾力部材（６）が螺旋状のスプリングであることを特徴としている。
【発明の効果】
【０００７】
本発明の防犯警報付き柵は、不正侵入者が柵を乗り越えようとして上部手摺に下方に向けて身体の重力を預けた場合、および柵の下方から柵棒を掴み下方向けの力を付与した場合に、上部手摺カバー内部に配設された音響を発する警報器が作動し、居住者をはじめ近隣に警報を知らせることができる。
警報音は、侵入に対して居住者や近隣者が気付いたことを警告することになり、侵入者に対しそれ以上の侵入を断念させ、犯罪を未然に防止することができる。
【発明を実施するための最良の形態】
【０００８】
以下、図面に基づいて本発明の具体的構成を詳述する。
図１は本発明の実施例１の斜視図である。図２は本発明の実施例１の内部構造を説明する正面図、側面図、立面図である。図３は本発明の実施例１のＵ字手摺カバー内部の断面図である。図４は本発明の実施例１のＵ字手摺カバーの下降移動に伴う警報器の作動を説明する断面図である。図５は本発明の実施例２の内部構造を説明する正面図である。図６は本発明の実施例３の内部構造を説明する正面図である。図７は本発明の実施例４の内部構造および付設の格子面体を説明する正面図である。図８は本発明の防犯警報付き柵を複数連結してベランダに取り付けた外観図である。
【０００９】
（実施例１）
図１に示すように、間隔をあけて立設した２本の支柱１の間に上部固定梁２がその両端を固設される。この上部固定梁２にほぼ等間隔に設けたガイド穴４には手摺直結柵棒５および柵棒５ａが摺動可能に貫装され、手摺直結柵棒５の最上端は固定ボルト３ａにより、断面が逆Ｕ字形状を呈するＵ字手摺カバー３に固設されている。手摺直結柵棒５には、弾力部材である螺旋状スプリング６が嵌められておりＵ字手摺カバー３を上部固定梁２に対して常時上方に浮かす作用をもたらしている。この弾力部材は、Ｕ字手摺カバー３を上部固定梁２に対して弾力をもって浮かすものであればどのようなものでもよくリン青銅バネ板、あるいはバネ鋼板、天然又は合成ゴム材が好適である。
【００１０】
Ｕ字手摺カバー３の内部天井面には、スイッチボタン９ａを有する警報器９がスイッチボタン９ａを下向きにして配設されている。
本発明では警報器９をＵ字手摺カバー３の内部天井面に配設しているので、ベランダ等の屋外に曝される場所において雨水から警報器（電子回路、電池電源を有する）を濡れずに保護することができる。
一方、手摺直結柵棒５および柵棒５ａの下端部は下部連結用梁８に連結固定されており、さらに下部連結用梁８の両端は支柱１の下部に設けたガイド溝７に嵌装されている。２つの支柱１の最下端には固定桟１ａが架設されており、柵の変形が生じることを防止している。この固定桟１ａは、防犯警報付き柵を実際にベランダ等に取り付けるにあたり、支柱１を床コンクリート面に埋め込む工法では省略できる。
【００１１】
不正侵入者がＵ字手摺カバー３に体重を乗せるか、手で下向きに引っ張るか、あるいは手摺直結柵棒５、柵棒５ａを掴んで下方に引っ張るとＵ字手摺カバー３内部の天井に配設されている警報器９のスイッチボタン９ａが上部固定梁２に押し込まれ警報器９が作動し音響を発する。
図２は、本発明の防犯警報付き柵の特に内部構造を詳しく説明するための正面図（ａ）、側面図（ｂ）、平面図（ｃ）である。支柱１間の中央部一点鎖線より右側は断面構造を示している。本例では、手摺直結柵棒５は、両側の支柱１に近い部分にそれぞれ配設されておりその上端はＵ字手摺カバー３に固定ボルト３ａにより固設されている。そして手摺直結柵棒５と上部固定梁２の間には、弾力部材である螺旋状スプリングが嵌められている。一方、手摺直結柵棒５と柵棒５ａは下部連結梁８に立設固定されている。そして下部連結梁８の両端は、支柱１の下部に設けられたガイド溝７に嵌装されている。
【００１２】
Ｕ字手摺カバー３の両端、即ち支柱１に当接する摺動開口部には開口部からの雨水の侵入を防止するためのサイド壁３ｂを設けている。
下部連結梁８の両端が、支柱１のガイド溝７に嵌装されているから、手摺直結柵棒５と柵棒５ａの上下向きの移動幅はガイド溝７の縦長さ内に限定される。手摺直結柵棒５の上端部に設けたスプリングにより上方に浮かす高さは、ガイド溝７の縦長さにより拘束され上方への動きが制限され外れることはない。反対に手摺直結柵棒５の下降移動幅もガイド溝７の縦長さにより限定される。矩形開口部形状のガイド溝７下辺位置は、Ｕ字手摺カバー３が下降してスイッチ９ａが作動する位置で止まるように設定される。すなわち、ガイド溝７下辺位置を適切に設定することにより警報機９が、Ｕ字手摺カバー３と上部固定梁２に挟まれて破壊することを防止できる。
【００１３】
図３（ａ）は、図２に示したＵ字手摺カバー３のＸ−Ｘ部の断面である。Ｕ字手摺カバー３の内部天井面には警報器９が配設されている。通常の状態では、スイッチ９ａは上部固定梁２には接触しない状態に保たれている。
ここで警報機９は押しスイッチボタン９ａ等を押し込むことにより音響を発するような機構を有するものであればよく、同様な作用機構を有するものとして学童用、子女用の携帯式の緊急警報器として市販されているものが好適に適用できる。これらにおいては緊急時に付設のスイッチボタンを押し込むことにより大音響を発し緊急事態を周囲に知らせるものである。
本発明の防犯警報付き柵においても、不正侵入者が柵部材に下降方向の力を付与することにより、大音響を発し周囲に緊急事態を知らせるという点で不正侵入者に対し怯み効果を与えるものである。警報器９は、スイッチボタン９ａの押し込みにより音響が一定時間作動する場合、あるいは別途リセットするまで作動が継続する場合など所望応じて動作する機器種類を選択することができる。
【００１４】
図３（ｂ）は、図２に示したＵ字手摺カバー３のＹ−Ｙ部の断面である。手摺直結柵棒５は上部固定梁２に設けたガイド穴４を通してＵ字手摺カバー３の内部天井面に固定ボルト３ａにより固設されている。Ｕ字手摺カバー３と上部固定梁２の間には、スプリング６が貫装されているのでＵ字手摺カバー３は上方に向かって浮く状態となっており、下方の力に対して反発しながら下降する。下降方向の力を除くとＵ字手摺カバー３は元の位置に戻る。
図４はＵ字手摺カバー３の下降による警報器９の（ａ）作動前、（ｂ）作動後の状態を説明したものである。同図（ｂ）において下降力Ａが働くと警報器９のスイッチボタン９ａは上部固定梁２の上面に近接しさらに押し込まれて、警報器９が作動し音響を発する。
【００１５】
（実施例２）
図５は、図１〜４で示した構造による機作と基本的には同様であるが、図２における柵棒５ａを全て手摺直結柵棒５の構造とした実施態様である。本構造では全ての柵棒がＵ字手摺カバー３の天井内面に直結固定されているので柵構造を強固にできる。柵棒上部に貫装するスプリングの数は支柱１の間隔の長さ、スプリングの強弱に応じて適宜選定する。
【００１６】
（実施例３）
図６も、前述の実施例１に示した構造とその機作は基本的には同様であるが、下部連結用梁８は両支柱１に固定して架設されている。そして、手摺直結柵棒５および柵棒５ａは全て、下部連結用梁８に設けたガイド穴４ａを貫装してその直下で連結板８ａに立設固定している。支柱１は上部固定梁２と下部連結用梁８により固い矩形枠を構成することができる。本例においては実施例２において支柱１の最下端に設けた固定桟１ａ（図１、図２）は省略可能である。
【００１７】
（実施例４）
図７は、実施例１における手摺直結柵棒５および柵棒５ａの前面に格子面体１０を配設したものである。格子面１０を設けることにより不正侵入者が柵棒を掴みにくくなるとともに全体柵構造を強固にすることが出来る。
【００１８】
（実施例５）
以上、本発明の防犯警報付き柵を実施例により詳しく説明したが、図８は防犯警報付き柵をベランダ等建造物のベランダ幅に対応して長尺幅用にした場合の構造例を示したものである。
本実施例では、一本の支柱の両側に本発明の基本構造を対称的に設けることにより、任意の長さのベランダ幅に対応して本発明の防犯警報付き柵の支柱１を連結しながら床コンクリート２０に埋め込み固定することにより施工することができる。
【産業上の利用可能性】
【００１９】
本発明の防犯警報付き柵は、一般の建造物のベランダ柵、窓柵として容易に取り付け可能な構造であり、不正侵入者による手摺上部あるいは柵棒を掴むことによる下方荷重により内部の警報器が作動して音響を発するもので、特に独居老人、単身婦女子の居住者の住む住居において不正侵入者の威嚇に大きな効果を持つものである。また、構造が簡単であることおよび風雨にさらされるベランダ等においても雨水侵入による警報器の故障が起こりにくく実用的である。
【図面の簡単な説明】
【００２０】
【図１】本発明（実施例１）の斜視図である。
【図２】本発明（実施例１）の内部構造を説明する正面図（ａ）、側面図（ｂ）、平面図（ｃ）である。
【図３】本発明（実施例１）のＵ字手摺カバー内部の断面図である。
【図４】本発明（実施例１）のＵ字手摺カバーの下降移動に伴う警報器の作動を説明する断面図である。
【図５】本発明（実施例２）の内部構造を説明する正面図である。
【図６】本発明（実施例３）の内部構造を説明する正面図である。
【図７】本発明（実施例４）の内部構造および付設の格子面体を説明する正面図である。
【図８】本発明（実施例５）の防犯警報付き柵を複数連結してベランダに取り付けた外観図である。
【符号の説明】
【００２１】
１    ・・・  支柱
１ａ  ・・・  固定桟
２    ・・・  上部固定梁
３    ・・・  Ｕ字手摺カバー
３ａ  ・・・  固定ボルト
３ｂ  ・・・  サイド壁
４    ・・・  ガイド穴
５    ・・・  手摺直結柵棒
５ａ  ・・・  柵棒
６    ・・・  弾力部材（スプリング）
７    ・・・  ガイド溝
８    ・・・  下部連結用梁
８ａ  ・・・  連結板
９    ・・・  警報器
９ａ  ・・・  スイッチ（ボタン型）
１０  ・・・  格子面体
２０  ・・・  床コンクリート
【図１】
2007179481.tif 000003
【図２】
2007179481.tif 000004
【図３】
2007179481.tif 000005
【図４】
2007179481.tif 000006
【図５】
2007179481.tif 000007
【図６】
2007179481.tif 000008
【図７】
2007179481.tif 000009
【図８】
2007179481.tif 000010